(57)【要約】 【課題】乗員の身体が操作ノブに当る際、その乗員に違和感や衝撃を緩和できて安全性を確保でき、そして、居住性を高め、さらに、高齢者やハンディキャップを持つ者などに操作し易くする。 【解決手段】シート３１内に配置されてそのシート３１の施錠装置を解除操作するリリース・レバー１１と、そのリリース・レバー１１に一端を結合するリリース・ケーブル１２と、手の掌に収まる程の大きさで球形あるいは略球形に形成され、そのシート３１の適宜の箇所において表面３２の窪み１４に配置され、そして、そのリリース・ケーブル１２の他端に結合される操作ノブ１５とを含む。 【選択図】図２
2005119507.tif 000002
【特許請求の範囲】
【請求項１】
シート内に配置されてそのシートの施錠装置を解除操作するリリース・レバーと、そのリリース・レバーに一端を結合するリリース・ケーブルと、手の掌に収まる程の大きさで球形あるいは略球形に形成され、そのシートの適宜の箇所において表面の窪みに配置され、そして、そのリリース・ケーブルの他端に結合される操作ノブとを含む乗り物シートの施錠装置に用いる解除機構。 
【請求項２】
シート内に配置されてそのシートの施錠装置を解除操作するリリース・レバーと、そのリリース・レバーに一端を結合するリリース・ケーブルと、ケーブル穴を有し、そして、そのシートの適宜の箇所において表面に窪みを形成するノブ・ポケット・ボールと、手の掌に収まる程の大きさで球形あるいは略球形に形成されてそのノブ・ポケット・ボールに配置され、そして、そのノブ・ポケット・ボールのそのケーブル穴に通されるそのリリース・ケーブルの他端に結合される操作ノブとを含む乗り物シートの施錠装置に用いる解除機構。 
【請求項３】
そのノブ・ポケット・ボールが、そのケーブル穴のまわりでボール内面に盛り上げられるところのノブ・シートを備える請求項２に記載の乗り物シートの施錠装置に用いる解除機構。 
【発明の詳細な説明】
【技術分野】
【０００１】
この発明は、乗り物シートの施錠装置用いる解除機構に関し、特に、リクライニング・デバイスやシート・トラックなどの施錠装置に用いる解除機構に関する。 
【背景技術】
【０００２】
通常、自動車シートは、リクライニング・デバイスやシート・トラックなどの調整機構を備え、そして、それらの施錠装置で調節位置に固定的に止められる。そして、その施錠装置は解除機構で解除される。最近、その調整装置やその解除機構などのハード部品は、シート・トリム内に収納され、そして、車室内に露出されることを避けて居住性を高める傾向にある。また、高齢者やハンディキャップを持つ者に対応してユニバーサル・デザインが要求されてきている。 
【特許文献１】特開平１０−３２３２５２号公報
【発明の開示】
【発明が解決しようとする課題】
【０００３】
この発明の課題は、乗員の身体が操作ノブに当る際、その乗員に違和感や衝撃を緩和できて完全性を確保でき、そして、居住性を高め、さらに、高齢者やハンディキャップを持つ者などに操作し易くするところの乗り物シートの施錠装置に用いる解除機構の提供にある。 
【課題を解決するための手段】
【０００４】
この発明は、シート内に配置されてそのシートの施錠装置を解除操作するリリース・レバーと、そのリリース・レバーに一端を結合するリリース・ケーブルと、手の掌に収まる程の大きさで球形あるいは略球形に形成され、そのシートの適宜の箇所において表面の窪みに配置され、そして、そのリリース・ケーブルの他端に結合される操作ノブとを含む。 
【発明の効果】
【０００５】
この発明では、その操作ノブがそのシートの適宜の箇所において表面上に部分的に露出されてその表面の窪みに配置されるにもかかわらずその操作ノブが手の掌に収まる程の大きさで球形あるいは略球形に作られるので、乗員の身体がその操作ノブに当る際、その乗員の違和感や衝撃が緩和されて安全性が確保され、そして、居住性が高められ、さらに、高齢者やハンディキャップを持つ者などにとって操作がし易くなる。 
【発明を実施するための最良の形態】
【０００６】
その操作ノブが手の掌に収まる程度の大きさで球形あるいは略球形に作られ、好ましくは外径が６０ｍｍ前後で球形あるいは略球形に作られ、また、そのノブ・ポケット・ボールがそのケーブル穴のまわりで内面にノブ・シートを盛り上げる。 
【実施例１】
【０００７】
以下、特定されて図示された具体例に基づいて、この発明の乗り物シートの施錠装置に用いる解除機構を説明するに、図１および図２は、乗用車のパッセンジャ・シート３０に適用されるところのこの発明の乗り物シートの施錠装置に用いる解除機構の具体例１０を示し、そして、その解除機構１０は、シート・トラック（図示せず）を組み込むシート・クッション３１、左右のリクライニング・デバイス（図示せず）でそのシート・クッションに前倒し角度調整可能に支持されるシート・バック（図示せず）、およびそのシート・バックに組み付けられるヘッドレスト（図示せず）で組み立てられ、そして、そのシート・トラックでその乗用車のフロア（図示せず）に前後調整可能に据え付けられるところのそのパセンジャ・シート３０において、そのリクライニング・デバイスの施錠装置（図示せず）に活用される。 
【０００８】
この解除機構１０では、リリース・レバー１１が、そのシート・クッション３１内に配置されてそのリクライニング・デバイスのその施錠装置を解除操作し、また、リリース・ケーブル１２が、そのリリース・レバー１１の先端に結合され、さらに、ノブ・ポケット・ボール１３が、ケーブル穴１７を有し、そして、そのリリース・レバー１１に近いところのそのシート・クッション３１の適宜の箇所において表面３２に窪み１４を形成し、またさらに、操作ノブ１５が、手の掌に収まる程の大きさで球形に形成されてそのノブ・ポケット・ボール１３に配置され、そして、そのノブ・ポケット・ボール１３のそのケーブル穴１７に通されるそのリリース・ケーブル１２の他端に結合される。 
【０００９】
そのノブ・ポケット・ボール１３は、樹脂から成形され、そして、そのケーブル穴１７のまわりでボール内面１６に盛り上げられるところのノブ・シート１８を備える。このノブ・ポケット・ボール１３は、そのノブ・シート１８にその操作ノブ１５を受けてそのノブ表面１９とそのボール内面１６との間に隙間を明けてその操作ノブ１５を操作し易くする。 
【００１０】
その操作ノブ１５は、手の掌に収まる程度の大きさ、すなわち、外径６０ｍｍの寸法で樹脂から球形に成形される。この操作ノブ１５は、また、略球形に作られてもかまわない。要は、この操作ノブ１５は、握り易く、角がなく、そして、物を引っ掛けたり、乗員の身体を痛めたりすることのない形状に作られる。 
【００１１】
また、この解除機構１０において、２０はケーブル・ガイド・リングである。 
【００１２】
さらに、その解除機構１０が配置されるところのそのシート・クッション３１において、３３はパッド、そして、３４はトリム・カバーである。 
【００１３】
したがって、この解除機構１０では、そのノブ・ポケット・ボール１３がそのシート・クッション３１のその表面３２に形成するその窪み１４によってその操作ノブ１５がそのシート・クッション３１のその表面３２に露出されるところのノブ突出量が少なくなってその操作ノブ１５がシート・クッション３１のその表面３２に部分的に露出され、そして、その操作ノブ１５が手の掌に収まる程の大きさで球形に作られるので、その操作ノブ１５は握り易く、操作し易くなり、その操作ノブ１５に角がないので、物が引っ掛からず、また、乗員が当る際、その乗員の身体を痛めることもなく安全性が確保されて居住性が高められ、そして、その操作ノブ１５はそのノブ・ポケット・ボール１３のそのノブ・シート１８によって操作し易くなって高齢者やハンディキャップを持つ者にも操作し易くなる。 
さらに、その操作ノブ１５がそのリリース・ケーブル１２でそのリリース・レバー１１の先端に連結されるので、その乗員の身体がその操作ノブ１５に当たっても反撥を受けない。 
【００１４】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１５】
上述から理解されるように、この発明の乗り物シートの施錠装置に用いる解除機構は、シート内に配置されてそのシートの施錠装置を解除操作するリリース・レバーと、そのリリース・レバーに一端を結合するリリース・ケーブルと、手の掌に収まる程の大きさで球形あるいは略球形に形成され、そのシートの適宜の箇所において表面の窪みに配置され、そして、そのリリース・ケーブルの他端に結合される操作ノブとを含むので、この発明の乗り物シートの施錠装置に用いる解除機構では、その操作ノブが握り易く操作し易くなり、そして、その操作ノブがそのシートの適宜の箇所において表面上に部分的に露出されるにもかかわらず物が引っ掛からず乗員が当る際にもその乗員には違和感や衝撃が緩和されてその乗員の身体を痛めることもなく安全性が確保されて居住性が高められ、さらに、高齢者やハンディキャップを持つ者に操作がし易くなり、その結果、調整機構を備える乗り物シート、特に、自動車シートにとって非常に有用で実用的である。 
【図面の簡単な説明】
【００１６】
【図１】乗用車のパセンジャ・シートに適用されるところのこの発明の乗り物シートの施錠装置に用いる解除機構の具体例を示した正面図である。
【図２】図１の２−２線に沿ってを示した断面図である。
【符号の説明】
【００１７】
１１  リリース・レバー 
１２  リリース・ケーブル 
１３  ノブ・ポケット・ボール 
１４  窪み 
１５  操作ノブ 
１７  ケーブル穴 
【図１】
2005119507.tif 000003
【図２】
2005119507.tif 000004